(57)【特許請求の範囲】
【請求項１】
本体部（１）と、本体部（１）に設けられたグリップ電極（５１・５２）と、本体部（１）の端部に設けた肌用電極（５３）と、これら電極に電流を供給する電流調整回路を含み、
肌用電極（５３）に、切断された綿棒（５４）を保持するための綿棒保持部（７２）が設けられている美容器具であって、
綿棒（５４）の軸部（５６）の切断位置を規定して、該綿棒（５４）を所定長さに切断するための切断部（９４）を備えており、
本体部（１）には、綿棒（５４）を保持するための綿棒保持部（７２）を構成するホルダー（６４・６５）が設けられており、これらホルダー（６４・６５）は本体部（１）の端部に支持されており、
本体部（１）には、ホルダー（６４・６５）、および本体部（１）の端部を覆うキャップ（５）が着脱可能に装着されており、
キャップ（５）で覆われる本体部（１）の端部に切断部（９４）が設けられており、
キャップ（５）に、綿棒（５４）の軸部（５６）を切断するためのカッター（１３０）が設けられており、
切断部（９４）に綿棒（５４）を固定した状態で、本体部（１）に対するキャップ（５）の装着動作を実行することで、カッター（１３０）により綿棒（５４）の軸部（５６）を切断することができるように構成されていることを特徴とする美容器具。
【発明の詳細な説明】
【技術分野】
【０００１】
本発明は、電極に装着した綿棒により唇表面の美容処理を行うことができるイオンクレンジング機能を備えた美容器具に関して、特に、綿棒を所定の長さ寸法に切断するための切断構造の改良に関する。
【背景技術】
【０００２】
本発明のように電極に装着した綿棒を使って美容処理を行う美容器具は、例えば特許文献１、２に公知である。特許文献１のマッサージ器では、本体部の一端のヘッド部にマッサージ用のヘッドキャップが設けられており、ヘッドキャップの端面の５個所に、電極と、綿棒をねじ込み装着するための装着部が設けられている。装着部に装着される綿棒は、綿棒の軸部を綿球部の近傍で所定長さに切断してなるものであり、綿球部が外方に指向する状態で軸部の側から装着部内に装着されている。このマッサージ器では、本体部に設けたハンドグリップを片手で握り、水を含浸した状態の綿球部を肌面にあてがうことにより、肌面に低周波パルス電流を作用させて肌面の状態を整えることができる。ヘッド部の内部には、振動発生装置が配置してあり、低周波パルス電流による刺激と同時に、振動刺激を肌面に加えてマッサージを行うことができる。振動発生装置は、偏心重りと、偏心重りを回転駆動するモーターなどで構成されている。
【０００３】
特許文献２の生体刺激装置では、装置本体の一端に設けた２個のパルス伝達素子に水分を含ませた綿球部が差込み装着されており、肌面にあてがった綿球部で低周波パルス刺激を与えている。また、特許文献１のマッサージ器と同様に、本体部に設けた偏心重りで振動を発生して、低周波パルス刺激と振動刺激を肌面に加えている。２個のパルス伝達素子のうちの一方は陽極に、他方は陰極になっており、これらのパルス伝達素子に装着した綿球部で低周波パルス刺激を与える。なお、低周波パルス刺激は、一対の綿球部で挟まれた肌面に作用する。また、低周波パルス刺激を受けた肌面が収縮したのち弛緩する期間に偏心重りを作動させて、筋肉の弛緩動作に同期して振動刺激を与えている。
【先行技術文献】
【特許文献】
【０００４】
【特許文献１】特許第３７４４６６２号公報（段落番号００１２、図２、５、６）
【特許文献２】特許第３７３６０２３号公報（段落番号００３７、図４）
【発明の概要】
【発明が解決しようとする課題】
【０００５】
この種の綿球部を介して肌面に低周波パルス刺激を与える美容器具では、過不足の無い所定長さに切断された綿棒を装着部に装着することで、綿棒を安定的に保持できるとともに、適切な低周波パルス刺激を肌面に与えることができる。すなわち、装着部に装着される綿棒の長さ寸法が、設計者が意図する所定の長さ寸法よりも短い場合には、装着部による綿棒の保持固定が不安定となることが避けられず、また、電極と綿棒との間の導通状態が不良となって、肌面に付与される低周波パルス刺激が過少となるおそれもある。装着部に装着される綿棒の長さ寸法が、設計者が意図する所定の長さ寸法よりも長い場合にも、綿球部が肌面に押し付けられた際に綿棒がぐら付いて電極と綿棒との間の導通状態が不良となり、結果として肌面に付与される低周波パルス刺激が過少となるおそれがあり、また、綿棒がぐら付き、或いは撓み易く、適切な接触圧で綿球部を肌面に押し当てることが困難となる。
【０００６】
このように、この種の綿棒を利用する美容器具では、切断される綿棒の長さ寸法にはある程度の厳密性が要求される。しかしながら、特許文献１、２の美容器具には、綿棒の最適な長さ寸法を規定するための機構が何ら設けられておらず、ユーザーが常に最適な長さ寸法に綿棒を切断することは難しい。加えて、特許文献１では、ユーザーが鋏を使って綿棒を切断することを予定しており、綿棒の切断および装着作業を迅速に進めることができない点にも不利がある。
【０００７】
本発明の目的は、鋏などの器具を用いることなく、ユーザーが常に綿棒を最適な長さ寸法に切断することが可能であり、綿棒の切断および装着作業を迅速に進めることが可能な美容器具を提供することにある。
【課題を解決するための手段】
【０００８】
本発明は、本体部１と、本体部１に設けられたグリップ電極５１・５２と、本体部１の端部に設けた肌用電極５３と、これら電極に電流を供給する電流調整回路を含み、肌用電極５３に、切断された綿棒５４を保持するための綿棒保持部７２が設けられている美容器具を対象とする。そして、美容器具が、綿棒５４の軸部５６の切断位置を規定して、該綿棒５４を所定長さに切断するための切断部９４を備えることを特徴とする。
【０００９】
綿棒保持部７２は、綿棒５４の軸部５６を受け入れ、綿球部５５が外面に露出する状態で綿棒５４を保持する穴６８・７５を含み、切断部９４が、穴６８・７５の長さに応じた適切な軸部５６の切断位置を規定するものとする。
【００１０】
切断部９４は、綿棒５４の軸部５６を受け入れる溝部１０２と、溝部１０２の端部に設けられて綿棒５４の軸部５６の切断位置を規定して、軸部５６を折り曲げ切断するための角部１０３とで構成することができる。
【００１１】
本体部１に切断部９４を設けることができる。
【００１２】
本体部１に、綿棒５４を保持するための綿棒保持部７２を構成するホルダー６４・６５を設け、これらホルダー６４・６５は本体部１の端部に支持し、本体部１に、ホルダー６４・６５、および本体部１の端部を覆うキャップ５を着脱可能に装着し、キャップ５で覆われる本体部１の端部に切断部９４を設ける形態を採ることができる。
【００１３】
キャップ５に、綿棒５４の軸部５６を切断するためのカッター１３０を設け、切断部９４に綿棒５４を固定した状態で、本体部１に対するキャップ５の装着動作を実行することで、カッター１３０により綿棒５４の軸部５６を切断できるようにすることができる。
【００１４】
本体部１に、綿棒５４を保持するための綿棒保持部７２を構成するホルダー６４・６５を設け、本体部１には、これらホルダー６４・６５を覆うキャップ５を着脱可能に装着し、キャップ５に切断部９４を設ける形態を採ることができる。
【００１５】
肌用電極５３を本体部１の下端部に設け、キャップ５を、底壁９５と、底壁９５の周縁から伸びる周囲壁９６とを備え、上方に開口を有する有底容器状に形成し、綿球部５５が底壁９５と周囲壁９６とで囲まれたキャップ５の内部に配置された状態で、切断部９４により軸部５６を切断できるように構成することができる。
【００１６】
切断部９４を、キャップ５の底壁９５に開設した綿棒装填穴９８と、綿棒装填穴９８に臨んで周囲壁９６から連出した一対の棒受壁９９・９９とで構成し、綿棒装填穴９８から装填された綿棒５４の綿球部５５が棒受壁９９の上端部で受止められるとともに、棒受壁９９・９９の間の溝部１０２に軸部５６が収容された状態で、綿棒装填穴９８の開口から下方に突出する軸部５６を綿棒装填穴９８の開口周縁を基点として折り曲げることにより、余分な軸部５６を切断することができるように構成することができる。
【００１７】
切断部９４を、キャップ５の周囲壁９６に開設した綿棒装填部１１０と、綿棒装填部１１０に臨んで周囲壁９６から連出した一対の棒受壁９９・９９とで構成し、綿棒装填部１１０から装填された綿棒５４の綿球部５５が棒受壁９９の突出端で受止められるとともに、棒受壁９９の間の溝部１０２に軸部５６が収容された状態で、綿棒装填部１１０から外方に突出する軸部５６を綿棒装填部１１０の開口周縁を基点として折り曲げることにより、余分な軸部５６を切断することができるように構成することができる。
【００１８】
キャップ５を下方視で多角形状、或いは楕円形状に形成する。この場合には、綿棒装填穴９８、或いは綿棒装填部１１０を、多角形状に形成されたキャップ５のコーナー部、或いは楕円形状に形成されたキャップ５の長軸側の頂点部に形成することができる。
【００１９】
綿棒５４を綿棒保持部７２に装着した状態における綿棒５４の外郭線が、キャップ５で覆われるキャップ内空間の外に突出するように、キャップ５の大きさを設定することが好ましい。
【発明の効果】
【００２０】
本発明に係る美容器具においては、綿棒５４の軸部５６の切断位置を規定して、該綿棒５４を所定長さに切断するための切断部９４を備えるものとしたため、ユーザーは鋏等の道具を用意することなく、綿棒５４の切断作業を行うことができ、綿棒５４の切断作業を簡単に、しかも少ない手間で速やかに行うことができる。従って、綿棒５４の切断作業および装着作業に要する手間と時間とを削減化でき、使い勝手に優れた美容器具を提供できる。また、所定の長さ寸法に綿棒５４を切断することができるので、綿棒保持部７２に装着される綿棒５４の長さ寸法が長短にばら付くことに起因する、肌用電極５３と綿棒５４との間の導通不良などの問題を解消して、より信頼性に優れた美容器具を提供できる。また、綿棒５４の軸部５６の長さ寸法が過少となることに起因して、綿棒保持部７２による綿棒５４の保持固定が不安定となることを防ぐこともできる。
【００２１】
綿棒保持部７２は、綿棒５４の軸部５６を受け入れ、綿球部５５が外面に露出する状態で綿棒５４を保持する穴６８・７５を含むものとし、切断部９４は、穴６８・７５の長さに応じた適切な軸部５６の切断位置を規定するものであることが望ましい。これによれば、綿球部５５が外面に露出するとともに、軸部５６の切断端が綿棒保持部７２の奥端にまで及ぶ適正姿勢で、綿棒５４を綿棒保持部７２に装着することができる。従って、綿棒保持部７２に装着される綿棒５４の長さ寸法が長短にばら付くことに起因する導通不良の問題や、綿棒保持部７２による綿棒５４の保持固定状態が不安定となる問題を確実に解消できる。
なお、本発明において、「切断部９４は、穴６８・７５の長さに応じた適切な軸部５６の切断位置を規定する」とは、切断部９４により規定された切断位置で切断される軸部５６の長さ寸法が、穴６８・７５の長さ寸法と完全に一致しているのみならず、ある程度の軸部５６の長短が生じることも許す概念である。尤も、切断後の軸部５６の長さ寸法は、綿棒保持部７２による十分な保持力を確保できること、および導電不良が生じないことなどを勘案して算出された、設計者が意図する長さ寸法の範囲内に収まることが望ましい。
【００２２】
切断部９４は、綿棒５４の軸部５６を受け入れる溝部１０２と、溝部１０２の端部に設けられて綿棒５４の軸部５６の切断位置を規定して、軸部５６を折り曲げ切断するための角部１０３とで構成する。このように、溝部１０２と角部１０３とからなる簡単な構成で切断部９４を形成してあると、切断部９４を設けたことに伴うコストアップを抑えて、より安価に切断部９４を備える美容器具を提供できる。
【００２３】
本体部１に切断部９４が設けられていると、切断部９４が本体ケース１に常時組まれているので、切断部９４を紛失することはない。
【００２４】
キャップ５で覆われる本体部１の端部に切断部９４が設けられていると、キャップ５の装着状態においては、切断部９４をキャップ５で覆うことができる。これにて、切断部９４を設けたことに伴う本体部１の外形デザインの低下を抑えて、外形デザインに優れた美容器具を提供できる。
【００２５】
キャップ５に、綿棒５４の軸部５６を切断するためのカッター１３０を設け、切断部９４に綿棒５４を固定した状態で、本体部１に対するキャップ５の装着動作を実行することで、カッター１３０により綿棒５４の軸部５６を切断できる構成を採ることができる。これによれば、切断部９４に綿棒５４を固定したうえで、本体部１に対するキャップ５の装着動作を行うだけで、綿棒５４の軸部５６を所定の切断位置から正確に切断でき、より簡便且つ正確に綿棒５４の切断動作を実行できる利点がある。
【００２６】
キャップ５に切断部９４が設けられていると、ユーザーは、本体部１に比べて重量の小さなキャップ５を使って、綿棒５４の切断作業をより小さな負担で実行することができる。また、本体部１の重量は比較的大きいため、本体部１に切断部９４を設けた場合には、本体部１が床面に落下したときの衝突衝撃により切断部９４が破損するおそれがあるが、キャップ５に切断部９４を設けた場合には、キャップ５の重量は本体部１のそれよりも小さいため、キャップ５を床面に落下させたときにも衝突衝撃により切断部９４が破損するおそれは少なく、使い勝手と信頼性に優れた美容器具を提供できる。
【００２７】
綿球部５５が底壁９５と周囲壁９６とで囲まれたキャップ５の内部に配置された状態で、切断部９４により軸部５６を切断できるように構成されていると、切断後の綿球部５５を含む綿棒５４をキャップ５の底壁９５或いは周囲壁９６で受止めて、綿棒５４が不用意に落下すること防ぐことができる。これにて、綿棒５４が床面等に接触して衛生状態が損なわれることを防ぐことができ、ユーザーは清潔な状態で綿棒５４を使用することが可能となるため、衛生面に優れた美容器具を提供できる。
【００２８】
切断部９４が、キャップ５の底壁９５に開設した綿棒装填穴９８と、綿棒装填穴９８に臨んで周囲壁９６から連出した一対の棒受壁９９・９９とで構成されていると、綿棒装填穴９８をキャップ５の周囲壁９６の中央部に沿うように設ける場合に比べて、切断部９４を設けたことに伴う美容器具の外形デザインの低下を抑えて、外形デザインに優れた美容器具を提供できる。切断部９４を、綿棒装填穴９８と、綿棒装填穴９８に臨んで周囲壁９６から連出した一対の棒受壁９９・９９とからなる簡単な構成としたので、切断部９４を設けたことに伴うコストアップを抑えて、より安価に切断部９４を備える美容器具を提供できる利点もある。また、キャップ５の底壁９５に綿棒装填穴９８が開設されていると、キャップ５を本体部１に装着した状態で肌用電極５３等に付着する湿気を綿棒装填穴９８から逃がすことができ、雑菌の繁殖を抑えて、肌用電極５３を衛生的な状態に保持することができる。
【００２９】
綿棒装填穴９８をキャップ５の底壁９５の隅部寄りに開設した場合には、切断作業時において、綿棒装填穴９８から装填された綿球部５５を支持する指先を、隅部を挟んで隣り合う二つの周囲壁９６の内面に押し付けて、該指先を安定化させることができる。これにて、綿球部５５を安定的に指先で保持しながら軸部５６の切断作業を実行できるので、ユーザーは、より簡単且つ安定的に切断作業を進めることができる。また、底壁９５の隅部寄りに綿棒装填穴９８を開設することで、より一層、外形デザインの低下を抑えることができる点でも優れている。
【００３０】
切断部９４が、キャップ５の周囲壁９６に開設した綿棒装填部１１０と、綿棒装填部１１０に臨んで周囲壁９６から連出した一対の棒受壁９９・９９とで構成されていると、キャップ５を本体部１に装着した状態で、肌用電極５３等に付着する湿気を綿棒装填部１１０から逃がすことができるので、雑菌の繁殖を抑えて、肌用電極５３を衛生的な状態に保持できる。また、切断部９４を、綿棒装填部１１０と、綿棒装填部１１０に臨んで周囲壁９６から連出した一対の棒受壁９９・９９とからなる簡単な構成としたので、切断部９４を設けたことに伴うコストアップを抑えて、より安価に切断部９４を備える美容器具を提供できる。
【００３１】
キャップ５が下方視で多角形状、或いは楕円形状に形成した場合には、綿棒装填穴９８は、多角形状に形成されたキャップ５のコーナー部、或いは楕円形状に形成されたキャップ５の長軸側の頂点部に形成することが望ましい。これによれば、切断作業時において、綿棒装填穴９８から装填された綿球部５５を支持する指先を、コーナー部、或いは楕円の頂点部を挟んで隣り合う二つの周囲壁９６の内面に押し付けて、該指先を安定化させることができるので、綿球部５５を安定的に指先で保持しながら軸部５６の切断作業を実行することが可能となり、ユーザーは、より簡単且つ安定的に切断作業を進めることが可能となる。
同様に、キャップ５が下方視で多角形状、或いは楕円形状に形成した場合には、綿棒装填部１１０は、多角形状に形成されたキャップ５のコーナー部、或いは楕円形状に形成されたキャップ５の長軸側の頂点部に形成することが望ましい。これによれば、綿棒装填部１１０を周囲壁の中央部等に設ける形態に比べて、より大きな角度に該綿棒装填部１１０から突出する軸部５６を折り曲げることが可能となるため、余分な軸部５６をより迅速に折り取り、切断することができる。
【００３２】
綿棒５４を綿棒保持部７２に装着した状態における綿棒５４の外郭線が、キャップ５で覆われるキャップ内空間の外に突出するように、キャップ５の大きさが設定されていると、綿棒５４を装着した状態のままでキャップ５が本体部１に装着されることを防止できる。従って、ユーザーの注意を喚起して、使用後の綿棒５４は廃棄する必要があることを物理的に明確に知らせて、美容器具の適正な使用を促すことができ、肌用電極５３を常に衛生的な状態に保持できる。
【図面の簡単な説明】
【００３３】
【図１】本発明の第１実施例に係る美容器具の要部の斜視図である。
【図２】美容器具の正面図である。
【図３】美容器具の側面図である。
【図４】本体部の構成部材を分離した状態で示す一部破断側面図である。
【図５】本体ケースの分解斜視図である。
【図６】加熱ヘッドとその支持構造を示す分解断面図である。
【図７】本発明に係る美容器具の上半部の縦断側面図である。
【図８】加熱ヘッドの縦断側面図である。
【図９】イオンクレンジング装置の縦断側面図である。
【図１０】イオンクレンジング装置の分解断面図である。
【図１１】美容器具における配電構造を示す説明図である。
【図１２】図２におけるＡ−Ａ線断面図である。
【図１３】保持ケースの組付け途中状態を示す縦断正面図である。
【図１４】肌用電極に綿棒を装着した状態の縦断正面図である。
【図１５】美容器具の使用状態説明図である。
【図１６】加熱ヘッドによる化粧料の展伸作用を示す説明図である。
【図１７】切断部を備えた下キャップの平面図である。
【図１８】切断部による綿棒の切断方法を説明するための図である。
【図１９】第１実施例に係る美容器具の切断部の別実施例を示す図である。
【図２０】本発明の第２実施例に係る美容器具の切断部の平面図である。
【図２１】本発明の第３実施例に係る美容器具の切断部の平面図である。
【図２２】本発明の第４実施例に係る美容器具の切断部の斜視図である。
【図２３】第４実施例の切断部の平面図である。
【図２４】第４実施例に係る美容器具の切断部の別実施例を示す図である。
【図２５】本発明の第５実施例に係る美容器具の切断部の平面図である。
【図２６】本発明の第６実施例に係る美容器具の切断部の斜視図である。
【図２７】本発明の第６実施例に係る美容器具の切断部の平面図である。
【図２８】本発明の第７実施例に係る美容器具の切断部の斜視図である。
【図２９】本発明の第８実施例に係る美容器具の切断部の斜視図である。
【図３０】本発明の第９実施例に係る美容器具の切断部の斜視図である。
【図３１】本発明の第１０実施例に係る美容器具の切断部の斜視図である。
【図３２】本発明の第１１実施例に係る美容器具の切断部の正面図である。
【図３３】第１１実施例に係る切断部を使った綿棒の切断方法を説明するための図である。
【発明を実施するための形態】
【００３４】
（第１実施例）  図１ないし図１８に、本発明に係る美容器具の第１実施例を示す。なお、本実施例における前後、左右、上下とは、図２および図３に示す交差矢印と、各矢印の近傍に表記した前後、左右、上下の表示に従う。図３に示すように、美容器具は、上端に加熱ヘッド２、下端にイオンクレンジング装置３を備える本体部１と、加熱ヘッド２の外面を覆う上キャップ４と、イオンクレンジング装置３の外面を覆う下キャップ（キャップ）５などで構成されている。
【００３５】
（本体部の構造）
図２〜図６に本体部１の詳細構造を示している。本体部１は、グリップを兼ねる本体ケース６と、本体ケース６に組付けられる保持ケース７と、本体ケース６の下側に配置される底蓋８などで構成してあり、保持ケース７の上端に先の加熱ヘッド２が組付けられている。本体部１の内部には、加熱ヘッド２を加熱するヒーターユニット１１と、ヒーターユニット１１に対して駆動電流を供給する電池１２が収容されている。この実施例では、本体ケース６の内部に電池１２が収容され、保持ケース７の上部にヒーターユニット１１が配置されている。また、本体ケース６の上端に臨んで、美容器具の運転状態を切換えて、電池１２の給電状態を制御するスイッチボタン１３が設けられている。
【００３６】
図５に示すように、本体ケース６は、丸筒状の内ケース１５と、内ケース１５を収容する透明な四角筒状の外ケース１６とで二重筒状に形成されており、両ケース１５・１６の間の隙間に装飾シート１７が収容されている。このように、外ケース１６の内部に装飾シート１７が配置されていると、外ケース１６を介して装飾シート１７を視認する際に、外ケース１６の透明感によって装飾シート１７の呈色状態を深みのあるものとすることができ、第１ケース６の外観を高級感に富むものとすることができる。また、模様や呈色状態が異なる複数の装飾シート１７を用意しておくことにより、装飾シート１７の種類数の分だけ美容器具の外観上のバリエーションを拡大できる。
【００３７】
図６に示すように、保持ケース７は、前ケース７ａと後ケース７ｂとを蓋併せ状に接合してなるものであり、その上半部分を丸筒状に形成して、ヒーターユニット１１、スイッチボタン１３、および回路基板１９などを収容するための制御区画２０を設けている。回路基板１９は、前ケース７ａと後ケース７ｂの接合面の間に挟持固定されている。前ケース７ａの下半部には電池ホルダー２１が一体に設けられており、保持ケース７を本体ケース６から抜外した状態において、電池１２を電池ホルダー２１に着脱することができる。回路基板１９には、加熱ヘッド２およびイオンクレンジング装置３に対する給電状態を制御する制御回路が実装されており、さらに、スイッチボタン１３で切換え操作されるスイッチ素子２２と、ＬＥＤ素子２３・２４が実装されている。上キャップ４は、保持ケース７に外嵌装着される。
【００３８】
スイッチボタン１３を支持するために、保持ケース７の制御区画２０の下部前面にレンズユニット２５を組付け、同ユニット２５と前ケース７ａとでスイッチボタン１３を出没自在に案内し、ばね２８で外向きに押出し付勢している。レンズユニット２５は透明プラスチック材で形成されており、先のＬＥＤ素子２３・２４と正対する位置に、導光壁２６・２７が設けられている。
【００３９】
スイッチボタン１３をばね２８に抗して１回押込み操作すると、スイッチ素子２２がオン状態になり、このオン信号を受けた制御回路がイオンクレンジング装置３に電池１２の電力を供給する。同時に下側のＬＥＤ素子２３を点灯して、美容器具の運転状態が、イオンクレンジングのための第１モードになっていることを導光壁２６を介して表示する。スイッチボタン１３をもう一度押込み操作すると、スイッチ素子２２のオン信号を受けた制御回路が、イオンクレンジング装置３への給電を停止し、ヒーターユニット１１に電池１２の電力を供給する。同時に上側のＬＥＤ素子２４を点灯して、美容器具の運転状態が、マッサージと化粧料の展伸のための第２モードになっていることを導光壁２７を介して表示する。さらに、スイッチボタン１３を押込み操作すると、スイッチ素子２２のオン信号を受けた制御回路が、全ての給電路を遮断して電力の供給を停止して待機状態になる。
【００４０】
（加熱ヘッドの構造）
図６乃至図８に加熱ヘッド２の詳細構造を示している。加熱ヘッド２は、アルミニウム製の丸棒に旋削加工と研削加工とを施して上下に長い砲弾状に形成されており、その上端に半球状のマッサージ面３１が形成され、マッサージ面３１の下側に連続して断面円形の展伸面３２が形成されている。また、展伸面３２より下側には丸軸状の装着軸３３が形成されている。加熱ヘッド２の内部には、後述する温度センサー４１を収容するための中空部３４が下向きに開口する状態で形成されており、中空部３４の開口縁の周囲に、ヒーターユニット１１の熱を受継ぐフランジ状の受熱壁３５が張出し形成されている。先の装着軸３３を前後ケース７ａ・７ｂの対向面に設けた軸受部３６で軸支することにより、加熱ヘッド２は保持ケース７で回転自在に支持される。前後ケース７ａ・７ｂに設けた軸受部３６は、上下２段の半円状のフランジ３６ａで構成されている（図８参照）。
【００４１】
図６に示すように、ヒーターユニット１１は、絶縁性のベースフィルム１１ａの上面にヒーター線１１ｂをつづら折り状に配置し、その上面を絶縁性の保護フィルム１１ｃで覆ったフィルムヒーター（面状発熱体）からなる。ベースフィルム１１ａの周縁の２個所には電極３９が設けてあり、両フィルム１１ａ・１１ｃの中央に装着穴４０が形成してある。ヒーター線１１ｂはステンレス製の板材にエッチング加工を施して形成されている。温度センサー４１とヒーターユニット１１を支持するために、加熱ヘッド２の内部に加熱部ホルダー４２が配置してある。
【００４２】
図８において、加熱部ホルダー４２は、ヒーターユニット１１を支持する皿状のベース部４３と、ベース部４３から上向きに突設される筒壁４４とを一体に備えており、ベース部４３を前後ケース７ａ・７ｂで挟持して保持ケース７に固定されている。ベース部４３に装着したヒーターユニット１１は、中央の装着穴４０が筒壁４４の基端部に外嵌して径方向へ移動不能に支持されており、さらに、ヒーターユニット１１の上面が加熱ヘッド２の受熱壁３５と小さな隙間Ｅを介して上下に対向している。詳しくは、ヒーターユニット１１の全厚寸法が０．５〜０．６ｍｍであるとき、ヒーターユニット１１の上面と加熱ヘッド２の受熱壁３５との間の隙間Ｅの寸法が０．１２〜０．２ｍｍになるようにした。なお、加熱ヘッド２は本体部１に対して回転不能に固定することができるが、その場合には、ヒーターユニット１１を受熱壁３５に密着させることにより、熱伝導効率を向上することができる。
【００４３】
上記のように、ヒーターユニット１１と受熱壁３５とを小さな隙間Ｅを介して正対させると、ヒーターユニット１１から受熱壁３５への熱移動を効果的に行ないながら、ヒーターユニット１１の熱が周囲に放散されるのを皿状のベース部４３で防止できる。また、加熱ヘッド２が本体部１の中心軸の周りに回転するとき、ヒーターユニット１１が受熱壁３５と擦れ合うのを避けて、加熱ヘッド２の回転動作を円滑化でき、加えて、ヒーターユニット１１が受熱壁３５で擦られて発熱機能が損なわれるのを避けることができる。さらに、ヒーターユニット１１を加熱部ホルダー４２に固定するので、ヒーターユニット１１の電気的な接点構造を簡素化できる。
【００４４】
温度センサー４１は、チップ状のＮＴＣサーミスタからなり、加熱部ホルダー４２の筒壁４４の上端の上面に配置されて、加熱ヘッド２の温度状態を中空部３４を介して検知する。温度センサー４１のセンサーリード４５は、筒壁４４の内部空間を利用して制御区画２０側へ導出されて回路基板１９に接続されている。制御回路は温度センサー４１の検知信号を受けてヒーターユニット１１の発熱状態を制御し、加熱ヘッド２のマッサージ面３１および展伸面３２の表面温度を３６℃以上４５℃以下の温度範囲に保持する。センサーリード４５は筒壁４４で常に保護されているので、本体部１に大きな衝撃が作用するような場合でも、センサーリード４５が断線することはない。なお、温度センサー４１は、筒壁４４の上端の上面から僅かに浮き離れた状態で支持してあってもよい。
【００４５】
（イオンクレンジング装置の構造）
図２、および図９〜図１４にイオンクレンジング装置３の詳細構造を示している。図２において、イオンクレンジング装置３は、本体ケース６の側に設けられる２個のグリップ電極５１・５２と、底蓋８の下面中央に設けられる肌用電極５３と、これらの電極５１〜５３にパルス電流を供給する電流調整回路などで構成してある。電流調整回路は回路基板１９に設けた制御回路の一部を構成している。肌用電極５３に美容用液が含浸された綿棒５４を装着すると、同電極５３と綿棒５４とが導通した状態になるので、綿棒５４の綿球部５５を唇の肌面に接触させて払拭することにより、イオン導出作用によって肌面を整えることができる。図３において符号５６は綿棒５４の軸部である。
【００４６】
本体ケース６の上下端には、それぞれ四角枠状の上エンドキャップ５８および下エンドキャップ５９が係合装着されており、これらのエンドキャップ５８・５９の表面全体に金属めっきを施すことによりグリップ電極５１・５２が形成されている。上エンドキャップ５８は、基本的に下向きに開口する四角箱状に形成するが、その前壁はレンズユニット２５を組むために切欠いてある（図６、７参照）。下エンドキャップ５９は上下両面が開口する四角枠状に形成され、その後面の左右中央に上向きの電極片６０が突設されている。上エンドキャップ５８は保持ケース７の電池ホルダー２１の上側部分に係合装着されており、下エンドキャップ５９は内ケース１５の下部に凹凸係合構造６１を介して係合装着されている（図９参照）。
【００４７】
図９に示すように、下エンドキャップ５９の下面中央には、ねじボス６２が設けられており、ねじボス６２と、その下面に接合した底蓋８とをビス６３で締結することにより、底蓋８が下エンドキャップ５９に固定されている。図９に示すように、下エンドキャップ５９を内ケース１５の下部に係合装着した状態においては、底蓋８に設けた係合腕９１が、電池ホルダー２１の下部の係合片９２と係合している。
【００４８】
図９に示すように、肌用電極５３は、導電性のゴムを素材とする第１ホルダー６４と、第１ホルダー６４を内面側から支持するステンレス製の第２ホルダー６５とで構成されている。第２ホルダー６５は、底蓋８と、底蓋８の下面に固定した蓋体６６との間に挟持固定されている。第１ホルダー６４は、キャップ状に形成されており、第２ホルダー６５に外嵌する筒状の周回壁６７と、中央に綿棒５４用の装着穴（穴）６８を備える端壁６９とで構成される。周回壁６７の内面には、第２ホルダー６５に設けられた係合溝７６に係合する係合リブ７０が形成されている。また、装着穴６８の下開口には、綿球部５５の基端部分を受止めるすり鉢状の受座７１が形成されている。
【００４９】
第２ホルダー６５は、軸部７３とフランジ部７４とを一体に備えており、軸部７３の中央に綿棒５４の軸部５６を受入れる保持穴（穴）７５が有底穴状に形成されており、軸部７３の周面に係合リブ７０と係合する係合溝７６が周回状に形成されている。受座７１の周囲を囲む端壁６９で、綿棒５４の綿球部５５と軸部５６の周面を弾性的に挟持固定することができる。また、これら装着穴６８、受座７１、端壁６９、および第２ホルダー６５に設けられた保持穴７５により、綿棒保持部７２が構成される。
【００５０】
第２ホルダー６５に設けた保持穴７５が有底穴で形成してあるため、綿棒５４から軸部５６を伝って流れ落ちる美容用液の全てを保持穴７５で受止めて穴内に貯留できる。従って余分な美容用液が本体部１の内部に入り込んで、内部回路がショートするのを確実に防止できる。図９に示すように、保持穴７５の直径Ｄ１は、装着穴６８の直径Ｄ２より大きく設定してある。また、装着穴６８の直径Ｄ２は綿棒５４の軸部５６の直径より小さく設定してあり、従って図１３に示すように、軸部５６は装着穴６８に対して圧入気味に装着される。
【００５１】
これら装着穴６８、保持穴７５が綿棒５４を装着するための穴として機能する。本実施例においては、ホルダーを第１ホルダー６４と第２ホルダー６５の二つのホルダーで構成したが、本発明はこれに限られず、単一のホルダーであってもよい。また、単一のホルダーを採用した場合には、該ホルダーに設けられる綿棒５４を装着するための穴は、一つとなることは言うまでも無い。装着穴６８の直径Ｄ２と、保持穴７５の直径Ｄ１は同じ径であってもよい。
【００５２】
上下のグリップ電極５１・５２、および肌用電極５３のそれぞれにパルス電流を供給する給電構造を図１１に示している。給電構造は、上エンドキャップ５８の内面のめっき層に接触する第１接触端子７９と、電池ホルダー２１の外面の左右に配置される第２接触端子８０、および第３接触端子８１を備えている。さらに給電構造は、下エンドキャップ５９のねじボス６２にビス６３で共締め固定される第４接触端子８２と、底蓋８で上下スライド自在に案内されるピン状の第５接触端子８３と、同端子８３を押上げ付勢する金属製のばね８４などで構成してある。ばね８４の下端は第２ホルダー６５で受止められている。
【００５３】
図７に示すように、第１接触端子７９は後ケース７ｂに装着されて、回路基板１９に対してリード線を介して接続してある。また、第２接触端子８０と第３接触端子８１は、図１１に示すように電池ホルダー２１の左右壁に固定されて、回路基板１９に対してリード線を介して接続してある。同様に、電池１２用の正極端子８５と負極端子８６は、電池ホルダー２１の定位位置に固定されて、リード線を介して回路基板１９に接続してある。
【００５４】
図１３に示すように、下エンドキャップ５９を内ケース１５に係合し、さらに保持ケース７を内ケース１５に差込み係合すると、図１４に示すように、グリップ電極５２と導通する第４接触端子８２が第２接触端子８０に密着し、さらに第２ホルダー６５を介して肌用電極５３と導通する第５接触端子８３が、第３接触端子８１に密着する。従って、回路基板１９に実装した制御回路から供給されるパルス電流を、上下のグリップ電極５１・５２、および肌用電極５３にそれぞれ供給することができる。また、保持ケース７の下端に第２接触端子８０および第３接触端子８１を設け、底蓋８の上端に第４接触端子８２および第５接触端子８３を設けるので、保持ケース７を内ケース１５に単に差込み係合するだけで、対応する各端子どうしを確実に密着させることができる。なお、下キャップ５は、底蓋８の外面に外嵌装着されるように構成されており、該下キャップ５を本体部１に装着した状態において、肌用電極５３および底蓋８が覆われるようになっている。
【００５５】
後述するように、イオンクレンジング作業を行うときには、綿棒５４に美容用液を含浸させた状態で唇のケアを行う。そのため、美容用液の含浸量が多いと、綿球部５５から滴り落ちた美容用液が肌用電極５３の表面を伝って蓋体６６へと流動する。このように、過剰な美容用液が蓋体６６を介して本体部１の内部に入り込むのを防ぐために、肌用電極５３の蓋体６６との隣接端に溝部８８を形成し、さらに溝部８８に臨む蓋体６６の表面に液受凹部８９を周回状に形成している（図１４参照）。溝部８８は、第１ホルダー６４を第２ホルダー６５から取外すときの、指先を引っ掛けるための指掛部としても機能している。
【００５６】
（唇用美容器具の使用法）
使用時には、図１４に示すように、綿棒５４の軸部５６を肌用電極５３の装着穴６８に圧入して、綿球部５５側の軸部５６を装着穴６８で保持し、綿球部５５を受座７１で受止めた状態で綿棒５４の全体を支持する。この装着状態において、美容用液が含浸された綿球部５５は受座７１に密着して肌用電極５３と電気的に導通している。綿棒５４が傾いた状態で装着穴６８に差込み装着された場合には、軸部５６の下端を保持穴７５の内周面で支持することができるので、綿棒５４が大きく傾いた状態で装着されるのを防いで、安定した状態で支持できる。使用途中に軸部５６が折れた場合でも、第１ホルダー６４を第２ホルダー６５から取外すだけで、折れた軸部５６を簡単に排出することができる。
【００５７】
綿棒５４を肌用電極５３の綿棒保持部７２に装着した後、綿球部５５に化粧水などの美容用液を含浸させ、スイッチボタン１３をオン操作して、美容器具をイオンクレンジングを行うための第１モードに切換える。この状態で、図１５に示すように本体部１を手で握って、人指し指を下側のグリップ電極５２の電極片６０に接触させた状態で、鏡を見ながら綿球部５５を唇に接触させ、肌面の縦皺に沿って綿球部５５を上下に滑らせる。また、唇の長手方向に沿って綿球部５５を滑らせて肌面の全体を整える。
【００５８】
このとき、綿球部５５が装着された肌用電極５３はプラスの極性に、グリップ電極５１・５２はマイナスの極性になっており、人体を介して両電極間に導通する微弱な電流によってイオン導出作用を発揮できる。このとき、唇の肌面には綿棒５４を介して電流が供給されるので、肌面に作用する電流を弱めることができ、従って角質層が薄い唇の負担を軽減できる。以上のようにしてクレンジングを行うことにより、肌面の皺や襞部などに入込んでいた汚れを綿球部５５に吸着させて、肌面を清潔な状態に保持できる。また、唇の肌面に化粧水をしみ込ませて、肌面を湿潤で弾力のある状態に保持できる。充分に払拭しきれていない口紅が残っていた場合でも、残留する口紅を確実に除去して、口紅による色素の沈着を防止できる。綿棒５４を使用してクレンジングを行うので、唇の縦皺や肌面のめくれなどの肌荒れが激しい部分に対して集中的にマッサージ刺激を与え、あるいは綿棒５４に含浸させた美容用液を縦皺に対してピンポイント状にしみ込ませるなど、微妙な操作を行なって唇の肌面の状態をさらに好適な状態にできる。
【００５９】
イオンクレンジングを終了した後に、スイッチボタン１３を再度オン操作して、マッサージと化粧料の展伸に適した第２モードに切換えて、加熱ヘッド２が適温になるまでの時間（約３０秒）を利用して、唇にリップクリームをたっぷりと塗布する。次に、加熱ヘッド２が唇と正対するように本体部１を持った状態で、加熱ヘッド２の展伸面３２を唇の表面に接触させて、唇の中央から側端へ向かって加熱ヘッド２を繰返し転動させてリップクリームを塗り伸ばす。このとき、加熱ヘッド２から伝動される熱によって、リップクリームに含まれるパラフィンなどの油脂類やワックス類が軟化して液状化するため、図１５に示すように、唇に縦皺が形成されていたとしても、皺の内部にまでリップクリームを染込ませることができる。また、加熱ヘッド２を転動させながらリップクリームを展伸面３２で塗り伸ばすので、常に新規な展伸面３２で唇の肌面を加熱でき、従ってリップクリームを効果的に展伸することができる。このとき、展伸面３２に接触する唇に、摺擦作用による動的な刺激と温熱を与えられるため、血行の促進効果を発揮することができる。
【００６０】
上記のように、リップクリームを唇の肌面に沿って均等に塗り伸ばした後に、マッサージ面３１を唇の表面にあてがって円を描くようにして、温熱を加えながら唇全体のマッサージを行う。さらに、唇の輪郭線に沿って円を描くようにマッサージ面３１を動かして、唇の輪郭部分のマッサージを行う。最後に、唇の周辺、あるいは唇の肌面に付着したリップクリームを、軽くティシュオフして唇のケアを終了する。唇のケアを行ったのちに口紅を塗布することにより、口紅の塗布状態を滑らかで潤いに富んだ状態に仕上げることができる。なお、ユーザーによっては、リップクリームを塗り伸ばすためにマッサージ面３１を使用することが想定され、従ってマッサージ面３１と展伸面３２の機能の使い分けはユーザーの好みに委ねることとなる。
【００６１】
以上のように、本実施例に係る唇用美容器具によれば、リップクリームを唇の肌面に沿って塗り伸ばした後に、加熱ヘッド２を唇の表面にあてがって、温熱を加えながら唇全体のマッサージを行うことにより、唇の状態を良好な状態に整えることができる。具体的には、唇の肌面がマッサージによって動的に刺激される効果と、温熱が加えられることによる皮膚細胞の活性化を促す効果とが得られるので、動的な刺激効果と活性効果との相乗効果で唇の血行を促進できる。これに伴い、唇の肌面の色合いを自然な状態に回復し、唇の表面状態を艶やかでふっくらとした状態に整えることができる。さらに、唇のケアを行ったのちに口紅を塗布することにより、口紅の塗布状態を滑らかで潤いに富んだ状態に仕上げることができる。短時間で唇のケアを行えるので、昼食後や退社前などの化粧直しなどの際にでも手軽に唇のケアを行うことができる。
【００６２】
第１モードと第２モードを行うのには、少なからず時間を要するので、入浴後にスキンケアを行う場合など、時間的に余裕がある状態で行うとよい。食後や退社前などの化粧直しなどの際には、口紅をティシュペーパーで拭取った後、リップクリームを塗布して第２モードでリップクリームを塗り伸ばし、あるいは唇のマッサージを行った後、口紅を塗布すればよいので、一連のメイク作業を短時間で行なうことができ、従って唇の肌面のケアをどこでも手軽に行える。さらに、出勤前のメイク時には、就寝前に塗布したリップクリームを軽くティシュオフした後、再度リップクリームを塗布して第２モードでリップクリームを塗り伸ばし、あるいは唇のマッサージを行って口紅を塗布すればよい。
【００６３】
（綿棒切断部の構造）
以上の説明から理解できるように、綿棒５４はその軸部５６を所定の長さに切断した状態で使用するが、軸部５６の切断をユーザー自身で簡便に行えるようにするために、下キャップ５に綿棒を切断するための切断部９４を設けている。図１、図１７および図１８において、下キャップ５は、略四角形状の底壁９５と、底壁９５の四周縁から上方に伸びる周囲壁９６とを備え、上方に開口を有する有底容器状に形成されている。下キャップ５の周囲壁９６は、四つの周壁面９６ａと、隣り合う周壁面９６ａ・９６ａどうしの間に形成された四つのコーナー面９６ｂとで構成されている。
【００６４】
切断部９４は、下キャップ５の底壁９５の隅部寄りに設けた綿棒装填穴９８と、この綿棒装填穴９８に臨んで下キャップ５の周囲壁９６の一つのコーナー面９６ｂから連出した一対の棒受壁９９・９９とで構成する。綿棒装填穴９８は、綿球部５５を差込むための不完全円状の丸穴１００と、丸穴１００に連続して底壁９５の隅部へ延びる角穴１０１とで鍵穴形に形成してある。各棒受壁９９は角穴１０１の対向縁に沿って形成してあり、その上端から綿棒装填穴９８の下開口までの長さが、肌用電極５３の受座７１から保持穴７５の内奥端までの長さに一致させてある。すなわち、棒受壁９９の上端から綿棒装填穴９８の下開口までの長さは、受座７１を含む装着穴６８と保持穴７５の合計長さに一致されている。また、一対の棒受壁９９・９９の対向間隔は、装填穴６８の直径と同じか、これより僅かに大きく設定してあり、両棒受壁９９・９９の間に、綿棒５４の軸部５６を受け入れる溝部１０２が形成されている。また、溝部１０２の下端部、すなわち、角穴１０１の開口縁が、軸部５６を切断するための角部１０３として機能する。
【００６５】
綿棒５４を切断する場合には、図１８（ａ）に示すように、綿球部５５を下キャップ５の下面側から綿棒装填穴９８の丸穴１００に差込み、綿棒５４の全体を角穴１０１側へ移動させて綿球部５５を下キャップ５のコーナー面９６ｂに接当させるとともに、軸部５６を棒受壁９９・９９の間の溝部１０２内に進入させる。この状態で、綿棒５４から指先を離すと、図１８（ｂ）に示すように、綿球部５５の基端部が棒受壁９９で受止められて綿棒５４が宙吊り状態となる。次に、図１８（ａ）に示すように、綿球部５５を下キャップ５のコーナー面９６ｂの内面に接触するように押え付け固定する。かかる固定状態においては、ユーザーは、その指先をコーナー面９６ｂを挟んで隣り合う二つの周壁面９６ａ・９６ａの内面に接触させて、指先を安定化させることができる。このため、切断部９４内で綿棒５４を安定的に支持することができる。次に、綿棒装填穴９８の開口周縁を基点として軸部５６を棒受壁９９の厚み方向へ折り曲げる。より具体的には、溝部１０２の下端部、すなわち、角穴１０１の開口縁を基点として、該角穴１０１から突出する軸部５６を棒受壁９９の厚み方向に折り曲げる。以上のような折り曲げ作業を繰り返すことにより、余分な軸部５６を綿球部５５から切断して、適正な長さに切断された綿棒５４を得ることができる。従って、ユーザーは、衛生的な状態で保管しておいた綿棒５４を、イオンクレンジング作業を行う直前に切断して、清潔な状態で使用することができる。
【００６６】
このように、切断部９４が美容器具に設けられていると、鋏等の道具を用意することなく、綿棒５４の切断作業を行うことができるので、ユーザーは綿棒５４の切断作業、および綿棒５４の装着作業をより少ない手間で簡便に行うことができる。また、常に所定の長さ寸法に綿棒５４を切断することができるので、綿棒保持部７２に装着される綿棒５４の長さ寸法が長短にばら付くことに起因する、肌用電極５３と綿棒５４との間の導通不良などの問題を解消して、より信頼性に優れた美容器具を提供できる。綿棒５４の軸部５６の長さ寸法が過少となることに起因して、綿棒保持部７２による綿棒５４の保持固定が不安定となることを防ぐこともできる。尤も、軸部５６がプラスチックなどで構成されており、その切断が容易で無い場合には、棒受壁９９で適正な長さを測ったうえで、鋏などを利用して切断すればよい。
【００６７】
下キャップ５に切断部９４を設けたので、ユーザーは、本体部１に比べて重量の小さな下キャップ５を使って、綿棒５４の切断作業をより小さな負担で実行することができる。また、本体部１の重量は比較的大きいため、本体部１に切断部９４を設けた場合には、本体部１が床面に落下したときの衝突衝撃により切断部９４が破損するおそれがあるが、本実施例のように下キャップ５に切断部９４を設けてあると、下キャップ５の重量は本体部１のそれよりも小さいため、下キャップ５を床面に落下させたときにも衝突衝撃により切断部９４が破損するおそれは少ない。以上より、使い勝手と信頼性に優れた美容器具を提供できる。
【００６８】
綿球部５５が底壁９５と周囲壁９６とで囲まれた下キャップ５の内部に配置された状態で、切断部９４により軸部５６を切断できるように構成したので、切断後の綿球部５５を含む綿棒５４を下キャップ５の底壁９５或いは周囲壁９６で受止めて、綿棒５４が不用意に落下すること防ぐことができる。これにて、綿棒５４が床面等に接触して衛生状態が損なわれることを防ぐことができ、ユーザーは清潔な状態で綿棒５４を使用することが可能となるため、衛生面に優れた美容器具を提供できる。
【００６９】
切断部９４を、下キャップ５の底壁９５の隅部寄りに開設した綿棒装填穴９８と、綿棒装填穴９８に臨んで周囲壁９６から連出した一対の棒受壁９９とで構成したので、綿棒装填穴９８を下キャップ５の周囲壁９６に設ける場合に比べて、切断部９４を設けたことに伴う美容器具の外形デザインの低下を抑えて、外形デザインに優れた美容器具を提供できる。切断部９４を簡単な構成として、切断部９４を設けたことに伴うコストアップを抑えて、より安価に切断部を備える美容器具を提供できる利点もある。
【００７０】
また、綿棒装填穴９８を下キャップ５の底壁９５の隅部寄りに開設したので、切断作業時において、綿棒装填穴９８から装填された綿球部５５を支持する指先を、隣り合う二つの周壁面９６ａ・９６ａの内面に押し付けて、該指先を安定化させることができる。これにて、綿球部５５を安定的に保持しながら軸部５６の切断作業を実行できるので、ユーザーは、より簡単且つ安定的に切断作業を進めることができ、使い勝手に優れた美容器具を提供できる。また、下キャップ５の底壁９５に綿棒装填穴９８を開設したので、下キャップ５を本体部１に装着した状態で肌用電極５３等に付着する湿気を綿棒装填穴９８から逃がすことが可能となり、雑菌の繁殖を抑えて、肌用電極５３を衛生的な状態に保持できる。
【００７１】
イオンクレンジング作業を行ったのちの綿棒５４は、肌用電極５３から取外して廃棄する。しかし、綿棒５４を肌用電極５３に装着した状態のままで、下キャップ５が底蓋８に装着されてしまうと、雑菌が繁殖し、あるいは皮脂が腐敗するなど、非衛生的な状態になってしまう。こうした事態を確実に防止し、肌用電極５３を常に衛生的な状態に保持するために、図１３に示すように、下キャップ５の内法上下寸法を、下エンドキャップ５９の下端面から肌用電極５３の下端面までの上下寸法より僅かに大きくなるように設定している。つまり、綿棒５４を綿棒保持部７２に装着した状態における綿棒５４の外郭線が、下キャップ５で覆われるキャップ内空間の外に突出するように、下キャップ５の大きさが設定されている。こうした下キャップ５によれば、肌用電極５３の綿棒５４を差込んだ状態のままでは、綿棒５４が邪魔になって下キャップ５を底蓋８に係合することができなくなる。従って、ユーザーの注意を喚起して、使用後の綿棒５４は廃棄する必要があることを物理的に明確に知らせて、唇用美容器具の適正な使用を促すことができる。
【００７２】
この第１実施例において、切断部９４の設置箇所は、下キャップ５の形状に応じて、適宜に選択することができる。具体的には、図１９（ａ）のように、下キャップ５が、その底壁９５が略三角形状の三角容器状である場合には、周囲壁９６の三角のコーナー部（頂点部）に切断部９４を設けることができる。図１９（ｂ）のように、下キャップ５が、その底壁９５が円形の円形容器状である場合には、周囲壁９６の内面の任意の箇所に、切断部９４を設けることができる。図１９（ｃ）のように、下キャップ５が、その底壁９５が楕円形の楕円容器状である場合には、周囲壁９６の楕円の長軸側の頂点部に切断部９４を設けることができる。図１９（ａ）〜（ｃ）に示すような位置に切断部９４が設けられていると、切断部９４に綿棒５４を固定し、ユーザーが指先により綿球部５５を周囲壁９６に押し付けたとき、指先を周囲壁９６の内面に接当させて、該指先を安定化させ、切断部９４内で綿棒５４を安定的に支持することが容易となり、従って、より迅速且つ安定的に、切断部９４を使った切断作業を進めることができる。つまり、多角形状の下キャップ５であって、その周囲壁９６を構成する周壁面９６ａ（図１等参照）の水平方向に係る長さ方向の中央部に切断部９４を設けた場合、或いは楕円形状の下キャップ５であって、その周囲壁９６の楕円の短軸側の頂点部に切断部９４を設けた場合には、指先を周囲壁９６の内面に接当させることが容易で無く、綿棒５４を安定的に支持することは困難となるが、特に図１９（ａ）、（ｃ）のような位置に切断部９４が設けられていると、指先を周囲壁９６の内面に接当することが容易となり、より迅速且つ安定的に切断作業を進めることができる。
【００７３】
（第２実施例）  図２０に本発明の第２実施例を示す。この第２実施例においては、綿棒装填穴９８の角穴１０１に対応して、周囲壁９６のコーナー面９６ｂに、上下方向に長く、溝状の切り欠き１０５を形成し、該切り欠き１０５の対向壁を切断部９４を構成する一対の棒受壁９９・９９とした点が、先の第１実施例と相違する。それ以外の点は、先の第１実施例と同様であるので、同一の部材には同一の符号を付して、その説明を省略する。
【００７４】
（第３実施例）  図２１に本発明の第３実施例を示す。この第３実施例においては、切断部９４の設置箇所を、下キャップ５の周壁面９６ａの中央部とした点が、先の第１実施例と相違する。それ以外は、第１実施例と同様であるので、同一の部材には同一の符号を付してその説明を省略する。
【００７５】
（第４実施例）  図２２および図２３に本発明の第４実施例を示す。この第４実施例に係る切断部９４は、下キャップ５の周囲壁９６に開設された綿棒装填部１１０と、綿棒装填部１１０に臨んで周囲壁９６から連出した一対の棒受壁９９とで構成されている。綿棒装填部１１０は、周囲壁９６のコーナー面９６ｂに、その上端から上下方向の中央部に至るように凹み形成されて、その下端に奥端面１１１を有する凹溝である。この凹溝の対向縁に沿って、コーナー面９６ｂから一対の棒受壁９９・９９が連出されている。棒受壁９９の突端からコーナー面９６ｂの開口１１２までの長さ（水平方向の長さ）が、肌用電極５３の受座７１から保持穴７５の内奥端までの長さに一致させてある。また、一対の棒受壁９９・９９の対向間隔は、装填穴６８の直径と同じか、これより僅かに大きく設定してある。本実施例においては、両棒受壁９９・９９の間が、綿棒５４の軸部５６を受け入れる溝部１０２となり、奥端面１１１に係るコーナー面９６ｂの開口１１２が、軸部５６を切断するための角部１０３となる（図２３参照）。
【００７６】
綿棒５４を切断する場合には、図２３に示すように、綿球部５５を凹溝の上方開口から差込み、綿棒５４の軸部５６を凹溝の下端面に接当させるとともに、綿球部５５の基端部を棒受壁９９の突端に接当させる。次に、軸部５６を凹溝の奥端面１１１に押さえ付けて固定したのち、開口１１２の周縁を基点として、周囲壁９６から突出する綿棒５４の軸部５６を周囲壁９６の外面に沿う方向に折り曲げて余分な軸部５６を切断する。これにて、ユーザーは、適正な長さに切断された綿棒５４を得ることができる。
【００７７】
以上のように、本実施例の切断部９４では、周囲壁９６から突出する綿棒５４の軸部５６を周囲壁９６の外面に沿う方向に折り曲げて余分な軸部５６を切断するが、かかる切断作業を迅速に進めるためには、軸部５６を大きく折り曲げることが必要であり、換言すれば、軸部５６を大きく折り曲げるためには、ユーザーの指先の動きを含めた作業空間を確保することが必要である。本実施例においては、下キャップ５のコーナー部に切断部９４を形成したため、コーナー面９６ｂを挟んで隣り合う周壁面９６ａ・９６ａに指先が接触するおそれは少なく、より大きく軸部５６を折り曲げて、迅速に軸部５６を切断できる。
【００７８】
この第４実施例において、切断部９４の設置箇所は、下キャップ５の形状に応じて、適宜に選択することができる。具体的には、図２４（ａ）のように、下キャップ５が、その底壁９５が略三角形状の三角容器状である場合には、周囲壁９６の三角のコーナー部（頂点部）に切断部９４を設けることができる。図２４（ｂ）のように、下キャップ５が、その底壁９５が楕円形の楕円容器状である場合には、周囲壁９６の楕円の長軸側の頂点部に切断部９４を設けることができる。このように、三角のコーナー部、或いは楕円の長軸側の頂点部に切断部９４が設けられていると、先の図２３に示した場合と同様に、より大きな作業空間を確保することができるため、周囲壁９６から突出する軸部５６を周囲壁９６に沿う方向に大きく折り曲げて、より迅速且つ容易に綿棒５４の切断作業を実行できる。
【００７９】
（第５実施例）  図２５に本発明の第５実施例を示す。この第５実施例においては、切断部９４の位置を、下キャップ５の周壁面９６ａの中央部とした点が、先の第４実施例と相違する。それ以外は、第１実施例と同様であるので、同一の部材には同一の符号を付してその説明を省略する
【００８０】
（第６実施例）  図２６および図２７に本発明の第６実施例を示す。この第６実施例においては、下キャップ５の底壁９５の外面に切断部９４を設けている。切断部９４は、底壁９５の外面のコーナー部に凹み形成されて、綿棒５４の軸部５６を受け入れる溝部１０２と、溝部１０２の端部に設けられて綿棒５４の軸部５６の切断位置を規定して、軸部５６を折り曲げ切断するための角部１０３とで構成されている。下キャップ５は、周囲壁９６が略四角形状に形成された四角容器状に形成されており、溝部１０２は隣り合う周壁面９６ａの外周辺どうしを繋ぐ傾斜姿勢に設けられている。下キャップ５の底壁９５が上方に向く、図２６に示すような天地逆姿勢としたとき、溝部１０２は上方に開口を有する断面コ字状に形成されている。溝部１０２は、対向縁の間隔寸法が均一に形成されて軸部５６を受け入れるストレート部１０２ａと、該ストレート部１０２ａに連設されて、対向縁の間隔寸法が外方向に行くに従って大きくなる拡開状に形成されたテーパー部１０２ｂとで構成される。かかるテーパー部１０２ｂに、綿球部５５の基端部が受け入れられる。
【００８１】
綿棒５４を切断する場合には、図２６に示すように、下キャップ５の底壁９５が上方に向く天地逆姿勢としたうえで、溝部１０２の中に綿棒５４を差し込む。具体的には、図２７に示すように、綿球部５５の基端部がテーパー部１０２ｂに受止められるとともに、軸部５６がストレート部１０２ａに受止められる固定姿勢としたうえで、角部１０３を起点として、軸部５６を周囲壁９６の外面に沿う方向に折り曲げて余分な軸部５６を切断する。これにて、ユーザーは、適正な長さに切断された綿棒５４を得ることができる。
【００８２】
（第７実施例）  図２８に本発明の第７実施例を示す。この第７実施例においては、下キャップ５を装着した際に該下キャップ５で覆われる本体部１の底蓋８に、切断部９４を設けた点が先の第１実施例等と相違する。具体的には、切断部９４は、底蓋８の外面のコーナー部に凹み形成されて、綿棒５４の軸部５６を受け入れる溝部１０２と、溝部１０２の端部に設けられて綿棒５４の軸部５６の切断位置を規定して、軸部５６を折り曲げ切断するための角部１０３とで構成されている。底蓋８は、下方視で略四角形状の下端面を備え、溝部１０２は隣り合う下端面の外周辺どうしを繋ぐ傾斜姿勢に設けられている。底蓋８の下面が上方に向く天地逆姿勢としたとき、溝部１０２は、上方に開口を有する断面コ字状に形成されており、その対向縁の間隔寸法が均一に形成されて軸部５６を受け入れるストレート部１０２ａと、該ストレート部１０２ａに連設されて、その対向縁の間隔寸法が外方向に行くに従って大きくなる拡開状に形成され、綿球部５５の基端部を受け入れるテーパー部１０２ｂとで構成される。
【００８３】
このように、下キャップ５で覆われる本体部１の底蓋８に切断部９４が設けられていると、切断部９４を設けたことに伴う本体部１の外形デザインの低下を抑えることができるので、外形デザインに優れた美容器具を提供できる。また、本体部１に切断部９４を設けたため、切断部９４を紛失する余地が無い点でも優れている。
【００８４】
（第８実施例）  図２９に本発明の第８実施例を示す。この第８実施例では、底蓋８の下端面に二本のリブ１２０・１２０を下方に平行状に突設して、これらリブ１２０・１２０の間に溝部１０２と角部１０３とで構成される切断部９４を形成した点が、先の第７実施例と相違する。それ以外の点は、第７実施例と同様であるので、先の第７実施例と同様の部材には同一の符号を付してその説明を省略する。
【００８５】
（第９実施例）  図３０に本発明の第９実施例を示す。この第９実施例では、切断部９４を、対向する底蓋８の外周辺どうしを繋ぐように形成された溝部１０２で構成した点が、先の第７実施例と相違する。それ以外の点は、第７実施例と同様であるので、先の第７実施例と同様の部材には同一の符号を付してその説明を省略する。
【００８６】
（第１０実施例）  図３１に本発明の第１０実施例を示す。この第１０実施例では、切断部９４を、本体ケース６の下端外面に設けた点が、先の第７実施例と相違する。具体的には、切断部９４は、本体ケース６の下端外面のコーナー部に凹み形成されて、綿棒５４の軸部５６を受け入れる溝部１０２と、溝部１０２の端部に設けられて軸部５６の切断位置を規定して、軸部５６を折り曲げ切断するための角部１０３とで構成されている。本体ケース６は、四つの周壁面１２１と、隣り合う周壁面１２１の間に連設されたコーナー面１２２とを備える略四角筒状に形成されており、溝部１０２は隣り合う周壁面１２１どうしをつなぐ傾斜姿勢に設けられている。それ以外の点は、先の第７実施例と同様であるので、同一の部材には同一の符号を付して、その説明を省略する。
【００８７】
（第１１実施例）  図３２および図３３に本発明の第１１実施例を示す。この第１１実施例では、底蓋８の外周面に切断部９４を形成するとともに、底蓋８に対して着脱可能に構成された下キャップ５に、切断部９４に装着された綿棒５４の余分な軸部５６を切断するためのカッター１３０を設けている。底蓋８は、その側面に四つの周壁面１３１を備える四角形状を呈しており、その一つの周壁面１３１に切断部９４が設けられている。切断部９４は、綿棒５４を受け入れる溝部１０２と、溝部１０２の端部に設けられて軸部５６の切断位置を規定する角部１０３とで構成されている。溝部１０２は、外方に開口を有する断面コ字状に形成されており、対向縁の間隔寸法が均一に形成されて軸部５６を受け入れるストレート部１０２ａと、該ストレート部１０２ａに連設されて、その対向縁の間隔寸法が外方向に行くに従って大きくなる拡開状に形成され、綿球部５５を受け入れるテーパー部１０２ｂとで構成される。
【００８８】
下キャップ５は、四角形状の底壁９５と、底壁９５の四周縁から立設された周囲壁９６とを備え、上方に開口を有する四角容器状に形成されている。周囲壁９６の内形寸法は、底蓋８の外形寸法と略一致しており、周囲壁９６の内面上端を底蓋８の外周面に嵌合させることで、下キャップ５を底蓋８に装着することができる。切断部９４の角部１０３に対応して、下キャップ５の周囲壁９６には、綿棒５４の軸部５６を受け入れる凹溝１３２が凹み形成されており、凹溝１３２の下端側の内面周縁に、カッター１３０が固定されている。カッター１３０の刃先は、上下の斜め方向に指向しており、下キャップ５を底蓋８に装着した際のカッター１３０の刃先の移動軌跡が、切断部９４に固定されて角部１０３から突出する軸部５６を横断するようになっている。これにて、図３２に示すように、綿棒５４をテーパー部１０２ｂに綿球部５５が受止められ、ストレート部１０２ａに軸部５６が受止められた固定姿勢としたうえで、下キャップ５の底蓋８への装着作業を行うことで、カッター１３０の刃先により角部１０３から突出する余分な軸部５６を切断することができる。
【符号の説明】
【００８９】
１  本体部
５  キャップ（下キャップ）
５１  グリップ電極
５２  グリップ電極
５３  肌用電極
５４  綿棒
５５  綿球部
５６  軸部
６４  第１ホルダー
６５  第２ホルダー
６８  穴（装着穴）
６９  端壁
７２  綿棒保持部
７５  穴（保持穴）
９４  切断部
９５  底壁
９６  周囲壁
９８  綿棒装填穴
９９  棒受壁
１０２  溝部
１０３  角部
１１０  綿棒装填部
１３０  カッター
【図１】
0005925532.tif 000002
【図２】
0005925532.tif 000003
【図３】
0005925532.tif 000004
【図４】
0005925532.tif 000005
【図５】
0005925532.tif 000006
【図６】
0005925532.tif 000007
【図７】
0005925532.tif 000008
【図８】
0005925532.tif 000009
【図９】
0005925532.tif 000010
【図１０】
0005925532.tif 000011
【図１１】
0005925532.tif 000012
【図１２】
0005925532.tif 000013
【図１３】
0005925532.tif 000014
【図１４】
0005925532.tif 000015
【図１５】
0005925532.tif 000016
【図１６】
0005925532.tif 000017
【図１７】
0005925532.tif 000018
【図１８】
0005925532.tif 000019
【図１９】
0005925532.tif 000020
【図２０】
0005925532.tif 000021
【図２１】
0005925532.tif 000022
【図２２】
0005925532.tif 000023
【図２３】
0005925532.tif 000024
【図２４】
0005925532.tif 000025
【図２５】
0005925532.tif 000026
【図２６】
0005925532.tif 000027
【図２７】
0005925532.tif 000028
【図２８】
0005925532.tif 000029
【図２９】
0005925532.tif 000030
【図３０】
0005925532.tif 000031
【図３１】
0005925532.tif 000032
【図３２】
0005925532.tif 000033
【図３３】
0005925532.tif 000034